(57)【要約】【課題】コストを低減しながらも、電池集合体の電池セルの異なるセル数に対応することのできるバスバーモジュールを提供する。【解決手段】バスバーモジュール１４は、電池集合体１２の電池セル１６の並び方向に分割された複数のモジュール構成体Ｍ１，Ｍ２を備える。モジュール構成体Ｍ１，Ｍ２は、複数の電池セル１６を直列に接続する複数のバスバー２６と、複数の電池セル１６に関係する配線基板２８と、バスバー２６を保持する保持部材３０とを備える。隣接するモジュール構成体Ｍ１，Ｍ２の配線基板２８同士が通信線５８を介して接続される。第１のモジュール構成体Ｍ１の対応する電池セル１６のセル数よりも第２のモジュール構成体Ｍ２の対応する電池セル１６のセル数が２セル多い。配線基板２８は、保持部材３０に対して電池セル１６の並び方向の一方側に片寄せた状態で配置される。【選択図】図１
2015185226.tif 000002
【特許請求の範囲】
【請求項１】
多数の電池セルが横並び状に配置される電池集合体に取付けられるバスバーモジュールであって、
前記電池セルの並び方向に分割された複数のモジュール構成体を備え、
前記モジュール構成体は、前記複数の電池セルを直列に接続する複数のバスバーと、前記複数の電池セルに関係する回路部品と、前記バスバーを保持する保持部材とを備え、
隣接する前記モジュール構成体の回路部品同士が通信線を介して接続されるように構成し、
前記複数のモジュール構成体は、前記電池セルのセル数に対応して少なくとも２種類用意され、
前記２種類のモジュール構成体のうちの一方のモジュール構成体の対応する電池セルのセル数よりも他方のモジュール構成体の対応する電池セルのセル数が２セル多く、
前記回路部品は、前記モジュール構成体の保持部材に対して前記電池セルの並び方向の一方側に片寄せた状態で配置されている
ことを特徴とするバスバーモジュール。
【請求項２】
請求項１に記載のバスバーモジュールであって、
前記通信線は、前記モジュール構成体の幅方向の中央部の相互間に配置されていることを特徴とするバスバーモジュール。
【請求項３】
請求項１又は２に記載のバスバーモジュールであって、
前記一方のモジュール構成体の対応する電池セルのセル数は６個であることを特徴とするバスバーモジュール。
【請求項４】
請求項１〜３のいずれか１つに記載のバスバーモジュールであって、
前記一方のモジュール構成体のみを複数用いて構成されていることを特徴とするバスバーモジュール。
【請求項５】
請求項１〜３のいずれか１つに記載のバスバーモジュールであって、
前記他方のモジュール構成体のみを複数用いて構成されていることを特徴とするバスバーモジュール。
【発明の詳細な説明】
【技術分野】
【０００１】
本発明は、電池集合体に用いられるバスバーモジュールに関する。
【背景技術】
【０００２】
従来例としては、複数の電池セルの電極端子から互いに向かって伸びるセル端子をそれぞれ設け、そのセル端子の上に基板を配置してセル端子と基板とを接合させ、基板には電圧検出回路と演算処理装置とを備えたバスバーモジュールがある（例えば、特許文献１参照）。
【先行技術文献】
【特許文献】
【０００３】
【特許文献１】特開２０１０−１６０９３０号公報
【発明の概要】
【発明が解決しようとする課題】
【０００４】
従来例によると、電池集合体の電池セルのセル数が異なる毎にそのセル数に対応する専用のバスバーモジュールを用意しなければならず、コストアップを余儀なくされるという問題があった。
【０００５】
本発明が解決しようとする課題は、コストを低減しながらも、電池集合体の電池セルの異なるセル数に対応することのできるバスバーモジュールを提供することにある。
【課題を解決するための手段】
【０００６】
第１の発明は、多数の電池セルが横並び状に配置される電池集合体に取付けられるバスバーモジュールであって、電池セルの並び方向に分割された複数のモジュール構成体を備え、モジュール構成体は、複数の電池セルを直列に接続する複数のバスバーと、複数の電池セルに関係する回路部品と、バスバーを保持する保持部材とを備え、隣接するモジュール構成体の回路部品同士が通信線を介して接続されるように構成し、複数のモジュール構成体は、電池セルのセル数に対応して少なくとも２種類用意され、２種類のモジュール構成体のうちの一方のモジュール構成体の対応する電池セルのセル数よりも他方のモジュール構成体の対応する電池セルのセル数が２セル多く、回路部品は、モジュール構成体の保持部材に対して電池セルの並び方向の一方側に片寄せた状態で配置されている。この構成によると、複数のモジュール構成体は、電池セルのセル数に対応して少なくとも２種類用意され、２種類のモジュール構成体のうちの一方のモジュール構成体の対応する電池セルのセル数よりも他方のモジュール構成体の対応する電池セルのセル数が２セル多い。これにより、少なくとも２種類のモジュール構成体から複数のモジュール構成体を選択し、隣接するモジュール構成体の回路部品同士を通信線を介して接続することにより、電池集合体の電池セルの異なるセル数に対応するバスバーモジュールを構成することができる。したがって、バスバーモジュールのバリエーションを増加することができるため、電池集合体の電池セルのセル数の異なる毎にそのセル数に対応した専用のバスバーモジュールを用意する必要がなくなる。よって、コストを低減しながらも、電池集合体の電池セルの異なるセル数に対応するバスバーモジュールを提供することができる。
【０００７】
また、回路部品は、モジュール構成体の保持部材に対して電池セルの並び方向の一方側に片寄せた状態で配置されている。これにより、少なくとも２種類のモジュール構成体における回路部品の周辺部の構成を共通化することができる。
【０００８】
第２の発明は、第１の発明において、通信線は、モジュール構成体の幅方向の中央部の相互間に配置されている。この構成によると、通信線の接続にかかる回路部品側の配線を容易化することができる。
【０００９】
第３の発明は、第１又は２の発明において、一方のモジュール構成体の対応する電池セルのセル数は６個である。この構成によると、他のモジュール構成体の対応する電池セルのセル数は８個となる。したがって、２種類のモジュール構成体から複数のモジュール構成体を選択することにより、電池セルの異なるセル数のほとんどの電池集合体に対応するバスバーモジュールを提供することができる。
【００１０】
第４の発明は、第１〜３のいずれかの発明において、一方のモジュール構成体のみを複数用いて構成されている。この構成によると、一方のモジュール構成体の対応する電池セルのセル数の倍数のセル数の電池セルを備える電池集合体に対応するバスバーモジュールを提供することができる。
【００１１】
第５の発明は、第１〜３のいずれかの発明において、他方のモジュール構成体のみを複数用いて構成されている。この構成によると、他方のモジュール構成体の対応する電池セルのセル数の倍数のセル数の電池セルを備える電池集合体に対応するバスバーモジュールを提供することができる。
【図面の簡単な説明】
【００１２】
【図１】実施形態１にかかるバスバーモジュールを示す斜視図である。
【図２】第１のモジュール構成体を示す斜視図である。
【図３】第１のモジュール構成体を示す正面図である。
【図４】第１のモジュール構成体を示す背面図である。
【図５】第１のモジュール構成体を示す左側面図である。
【図６】第１のモジュール構成体を示す右側面図である。
【図７】第１のモジュール構成体を示す平面図である。
【図８】第１のモジュール構成体を示す下面図である。
【図９】第１のモジュール構成体を示す正断面図である。
【図１０】第１のモジュール構成体を示す左側断面図である。
【図１１】コネクタを一部破断して示す斜視図である。
【図１２】電池セルに対するバスバーの端子板部の取付状態を示す平面図である。
【図１３】電池セルに対するバスバーの端子板部の取付状態を示す正断面図である。
【図１４】電池セルに対するバスバーの端子板部の取付状態を示す側断面図である。
【図１５】第２のモジュール構成体を示す斜視図である。
【図１６】バスバーモジュールの変形例１を示す斜視図である。
【図１７】バスバーモジュールの変形例２を示す斜視図である。
【図１８】実施形態２にかかるバスバーモジュールを示す平面図である。
【発明を実施するための形態】
【００１３】
以下、本発明を実施するための実施形態について図面を用いて説明する。
【００１４】
［実施形態１］
実施形態１を説明する。本実施形態では、ハイブリッド車用の電源装置として用いられる電池モジュールのバスバーモジュールを例示する。図１はバスバーモジュールを示す斜視図である。説明の都合上、バスバーモジュールにかかる方位を各図に矢印で示すように定める。
【００１５】
図１に示すように、電池モジュール１０は、１スタックの電池集合体１２と１つのバスバーモジュール１４とを備えている。電池集合体１２は、二次電池としての多数（例えば２８個）の電池セル１６を備えている。図１では２８個のうちの一部の電池セル１６が省略されている。電池セル１６としては、例えばリチウムイオン電池が用いられている。電池セル１６の電池本体１７は、左右方向を長尺とする直方体状に形成されている。電池本体１７の上面の左右両端部には、左右一対の電極端子１８が左右対称状に配置されている（後出の図１３及び図１４参照）。電極端子１８は、導電性を有する金属製で、円柱状に形成されている。左右の電極端子１８（同一符号を付す）のうちの一方の電極端子１８は正極側の電極端子であり、他方の電極端子１８は負極側の電極端子である。電極端子１８には、絶縁性を有する樹脂製のスペーサ２０、及び、導電性を有する金属製の接点板２２が嵌合されている。接点板２２は、スペーサ２０上に配置されている。
【００１６】
電池集合体１２の多数の電池セル１６は、前後方向に横並び状すなわち列状に配置されかつ拘束部材（不図示）によって一括して保持されている。これにより、電池集合体１２の電池セル１６の並び方向は前後方向に相当し、その並び方向に交差する方向は左右方向に相当する。隣接する電池セル１６は、一対の電極端子１８の極が逆向きとなるように配置されている。また、電池本体１７の上面の中央部には、電池セル１６すなわち電池本体１７内で発生したガスを排出するガス排出口２４が設けられている（後出の図３参照）。ガス排出口２４には安全弁（不図示）が設けられている。安全弁は、通常は閉弁し、電池本体１７の内圧が異常圧になると開弁して電池本体１７内のガスを排出する。
【００１７】
バスバーモジュール１４は、電池集合体１２上に取付けられるもので、電池セル１６の並び方向に分割された複数（例えば４個）のモジュール構成体Ｍ１，Ｍ２を備えている。ここでは、２種類のモジュール構成体Ｍ１，Ｍ２を２個ずつ用いる場合について例示する。２種類のモジュール構成体Ｍ１，Ｍ２は、電池セル１６の異なるセル数に対応して用意されている。第１のモジュール構成体Ｍ１の対応する電池セル１６のセル数は６個である。また、第２のモジュール構成体Ｍ２の対応する電池セル１６のセル数は８個である。すなわち、第１のモジュール構成体Ｍ１の対応する電池セルのセル数（６個）よりも第２のモジュール構成体Ｍ２の対応する電池セルのセル数（８個）が２セル多い。
【００１８】
第１のモジュール構成体Ｍ１と第２のモジュール構成体Ｍ２とは、それに対応する電池セル１６のセル数が異なるだけで基本的構成がほとんど同じである。このため、第１のモジュール構成体Ｍ１について説明し、第２のモジュール構成体Ｍ２については同一部位に同一符号を付すことにより重複する説明は省略する。図２は第１のモジュール構成体を示す斜視図、図３は同じく正面図、図４は同じく背面図、図５は同じく左側面図、図６は同じく右側面図、図７は同じく平面図、図８は同じく下面図、図９は同じく正断面図、図１０は同じく左側断面図である。
【００１９】
図２に示すように、第１のモジュール構成体Ｍ１は、６個の電池セル１６（図１参照）を直列に接続する７個のバスバー２６と、６個の電池セル１６に関係する１個の配線基板２８と、バスバー２６を保持する１個の保持部材３０とを備えている。バスバー２６は、導電性を有する金属製で、端子板部３２と、端子板部３２に接続されたターミナル部３４とを有している（図９参照）。端子板部３２は、前後方向を長くする帯板状に形成されている（図７参照）。端子板部３２には、電池集合体１２の隣接する両電池セル１６の電極端子１８に嵌合可能な前後一対の取付孔３３が形成されている。各端子板部３２は、同一平面上に配置されている。
【００２０】
図７に示すように、各バスバー２６は、左右２列で左右対称状に配置されている。左列の端子板部３２と右列の端子板部３２とは、前後方向に位相を１／２ピッチずらして配置されている。また、左列には３個のバスバー２６が配置され、右列には４個のバスバー２６が配置されている。右列の最前部及び最後部のバスバー２６（他のバスバー２６と同一符号を付す）は、１個の取付孔３３を有する端末金具に相当する。
【００２１】
図９に示すように、各ターミナル部３４は、端子板部３２の一側（すなわち左列の端子板部３２において右側、右列の端子板部３２において左側）から立ち上がる立ち上がり部３６と、立ち上がり部３６の上端部から両列間へ向けて延びる水平部３８とを有している。立ち上がり部３６及び水平部３８は、弾性変形可能いわゆる撓み変形可能に形成されている。これにより、ターミナル部３４は、立ち上がり部３６の基端部（端子板部３２側の端部）と水平部３８の先端部との間における前後方向及び左右方向並びに上下方向の相対的な変位を吸収することができる。
【００２２】
保持部材３０は、絶縁性を有する樹脂製で、７個のバスバー２６がインサート成形により一体化されている。保持部材３０は、７個の保持枠部４０と、７個の被覆部４２と、１個の保持板部４４とを有している（図３参照）。保持枠部４０は、バスバー２６の端子板部３２の外周部をそれぞれ取り囲む矩形枠状に形成されている（図７参照）。２個の取付孔３３を有する端子板部３２に対応する保持枠部４０において、左右の両側枠部の相互間には、端子板部３２の下面の中央部を横切る連結部４０ａが架設されている（図８参照）。
【００２３】
前後に隣接する保持枠部４０の間すなわち前側の保持枠部４０の後側の枠部と後側の保持枠部４０の前側の枠部との間には、左右一対をなす逆Ｕ字状の連結片４６が架設されている（図５〜図７参照）。連結片４６は、主として前後方向に撓み変形可能に形成されている。これにより、連結片４６は、前後に隣接する保持枠部４０の前後方向の変位を吸収することができる。また、被覆部４２は、各バスバー２６のターミナル部３４を被覆している（図９参照）。被覆部４２は、弾性を有しており、ターミナル部３４の撓み変形に追従して弾性変形することができる。
【００２４】
保持部材３０の左側の保持枠部４０の一方側（被覆部４２側）の側枠部には、サーミスタ取付部４０ｂが形成されている（図２及び図７参照）。サーミスタ取付部４０ｂは、バスバー２６の端子板部３２の各取付孔３３にそれぞれ対応するように形成されている。サーミスタ取付部４０ｂには、電池セル１６の温度を検出するサーミスタ（不図示）が取付可能となっている。なお、サーミスタは本明細書でいう「温度検出手段」に相当する。また、サーミスタ取付部４０ｂは本明細書でいう「温度検出手段取付部」に相当する。
【００２５】
図９に示すように、保持板部４４は、四角形板状に形成されており、左右の両被覆部４２の上端部の相互間に水平状に架設されている。保持板部４４は、電池セル１６の並び方向すなわち前後方向の一方側（例えば後方側）に片寄せて形成されている（図７及び図１０参照）。保持板部４４の下面には、四角形筒状の筒状部４８が形成されている（図８〜図１０参照）。筒状部４８内には、下面を開口する収容凹部５０が形成されている（図９及び図１０参照）。筒状部４８の左右の両側壁部の下端部には、断面Ｌ字状の左右一対の支持レール５２が左右対称状に形成されている（図３及び図４参照）。両支持レール５２の横片部は対向状をなしている。
【００２６】
配線基板２８は、電池セル１６の状態を監視するもので、電池セル１６の電圧の検出、電池セル１６の電圧の均等化、レベルシフト等を行う。配線基板２８は、基板本体に回路素子（不図示）が実装されてなる。配線基板２８は、保持板部４４の収容凹部５０内に収容されている（図９及び図１０参照）。これにより、配線基板２８は、配線基板２８の上面側が保持部材３０の保持板部４４により覆われるようにして保持板部４４の下側に配置されている。また、配線基板２８は、保持板部４４の収容凹部５０内に回路素子の実装面を下向きにして収容されている。配線基板２８には、バスバー２６のターミナル部３４（図９参照）の水平部３８の先端部がそれぞれ電気的に接続されている。なお、保持板部４４は本明細書でいう「部品保持部」に相当する。また、配線基板２８は本明細書でいう「回路部品」に相当する。
【００２７】
保持板部４４の前端側及び後端側には、前後一対のコネクタ部５４が設けられている（図３及び図４参照）。コネクタ部５４は、保持板部４４の幅方向の中央部に配置されている。コネクタ部５４には、配線基板２８に電気的に接続された複数本の接続端子５６が配置されている（図１０参照）。コネクタ部５４には、前後方向に延びるフレキシブル基板からなる通信線５８の一端部（後端部）が着脱可能とされている。例えば、前側のコネクタ部５４には通信線５８の後端部が接続されている（図１０参照）。また、通信線５８は、上下方向に蛇行状に折り曲げられている。通信線５８は、主として前後方向の撓み変形により伸縮可能に形成されている。通信線５８の絶縁材５８ａに埋設された複数本の導体５８ｂは、コネクタ部５４の接続端子５６と接続可能となっている。通信線５８の各導体５８ｂは、配線基板２８の信号線用、電源用及びグランド用の導体等である。また、通信線５８としては、フレキシブル基板に代え、ターミナルを樹脂でモールドしてなる通信線を使用してもよい。
【００２８】
また、保持板部４４の後側のコネクタ部５４に着脱可能なコネクタ６０が用意されている（図１参照）。図１１はコネクタを一部破断して示す斜視図である。図１１に示すように、コネクタ６０は、絶縁性を有する樹脂製のハウジング６０ａに複数本（例えば４本）のターミナル６０ｂがインサート成形により一体化されてなる。コネクタ６０が後側のコネクタ部５４に接続されることにより、各ターミナル６０ｂと後側のコネクタ部５４の各接続端子５６とが電気的に接続可能となっている。
【００２９】
図９に示すように、保持部材３０の保持板部４４の下側にはガス排出ダクト６２が設けられている。ガス排出ダクト６２は、絶縁性及び耐熱性を有する樹脂製で、前後方向に延びる長尺状に形成されている。ガス排出ダクト６２は、６個分の電池セル１６（図１参照）の前後方向の長さに対応する長さを有している。ガス排出ダクト６２は、上板部６２ａと左右の両側板部６２ｂとを有する断面逆Ｕ字状に形成されている。ガス排出ダクト６２の下面を開口する中空部は、仕切板部６２ｃにより上下２段に仕切られている。下段の中空部は、各電池セル１６で発生したガスを排気するガス排出通路６３になっている（図１０参照）。また、上段の中空部は、ガス排出通路６３の上側でガス排出通路６３に沿って延在する空間部６５になっている。上板部６２ａの左右両端部には、相反方向へ突出する水平状の左右一対の懸吊レール６７が左右対称状に形成されている。また、ガス排出ダクト６２は前後方向に同一断面構造をなしている。
【００３０】
両懸吊レール６７は、保持部材３０の保持板部４４における両支持レール５２の相互間にスライド可能に係合されている（図３、図４及び図８参照）。すなわち、保持部材３０の保持板部４４とガス排出ダクト６２とは、前後方向すなわち電池集合体１２の電池セル１６の並び方向（前後方向）にスライド可能に嵌合されている。これにより、ガス排出ダクト６２が、配線基板２８の下面側を覆うようにして保持部材３０の保持板部４４に懸吊状に設けられている。
【００３１】
第１のモジュール構成体Ｍ１は、次のようにして電池集合体１２の６個の電池セル１６に取付けられる。図１２は電池セルに対するバスバーの端子板部の取付状態を示す平面図、図１３は同じく正断面図、図１４は同じく側断面図である。
図１２〜図１４に示すように、電池集合体１２の６個の電池セル１６上に第１のモジュール構成体Ｍ１が配置される。このとき、電池集合体１２の前後に隣接する各電池セル１６の各電極端子１８に各バスバー２６の端子板部３２の取付孔３３がそれぞれ嵌合される。端子板部３２は、電極端子１８の接点板２２上に面接触状に接触される。続いて、各電極端子１８にナット７１をそれぞれ締付けることにより、電極端子１８に端子板部３２及び接点板２２を締結する。これにより、６個の電池セル１６が直列に接続される。また、ガス排出ダクト６２の両側板部６２ｂの下端面は、６個の電池セル１６の電池本体１７の上面に当接又は近接される（図３及び図４参照）。ガス排出ダクト６２のガス排出通路６３は、各電池セル１６のガス排出口２４にそれぞれ対応する。
【００３２】
図１５は第２のモジュール構成体を示す斜視図である。図１５に示すように、第２のモジュール構成体Ｍ２は、第１のモジュール構成体Ｍ１に対して２個の取付孔３３を有するバスバー２６を左右各１個ずつ増加したものである。また、配線基板２８は、８個の電池セル１６に関係する配線基板２８となっている。また、バスバー２６の増加にともない、保持部材３０の保持枠部４０及び被覆部４２も増加されている。また、ガス排出ダクト６２は、８個分の電池セル１６の前後方向の長さに対応する長さを有している。また、第２のモジュール構成体Ｍ２は、第１のモジュール構成体Ｍ１と同様に、電池集合体１２の８個の電池セル１６に取付けられる（図１参照）。
【００３３】
図１に示すように、電池集合体１２上には、前側に２個の第１のモジュール構成体Ｍ１が前後に並べて配置され、その後側に第２のモジュール構成体Ｍ２が前後に並べて配置されている。モジュール構成体Ｍ１，Ｍ２の前側に隣接するモジュール構成体Ｍ１，Ｍ２の後側のコネクタ部５４には、通信線５８の前端部が接続されている。最後部の第２のモジュール構成体Ｍ２の後側のコネクタ部５４にはコネクタ６０が接続されている。また、最前部の第１のモジュール構成体Ｍ１の通信線５８は取外されている。また、ガス排出ダクト６２のガス排出通路６３及び空間部６５の前側の開口端面あるいは後側の開口端面は、キャップ（不図示）により閉鎖するとよい。上記のようにして、バスバーモジュール１４が構成されているとともに、バスバーモジュール１４と電池集合体１２とを備える電池モジュール１０が構成されている（図１参照）。
【００３４】
電池モジュール１０（図１参照）は車両（不図示）に搭載される。また、バスバーモジュール１４のコネクタ６０には、図示しない電気モータを含む電気回路、コントローラを含む電気回路等につながる外部接続コネクタ（不図示）が接続される。また、バスバーモジュール１４は、各モジュール構成体Ｍ１，Ｍ２のバスバー２６のターミナル部３４（保持部材３０の被覆部４２を含む）の撓み変形、保持部材３０の連結片４６の撓み変形、及び、通信線（フレキシブル基板）５８の撓み変形（伸縮変形）によって、電池集合体１２の各電池セル１６と各保持板部４４との間の変位（主として電池集合体１２の電池セル１６の並び方向の変位）を吸収することができる。また、各電池セル１６のガス排出口２４から排出されたガスは、ガス排出ダクト６２のガス排出通路６３を流れた後、ガス排出管路（不図示）を介して車両外部へ排出されるようになっている。
【００３５】
［変形例１］
図１６はバスバーモジュールの変形例１を示す斜視図である。図１６に示すように、本変形例は、電池集合体１２の電池セル１６が１８個の場合のバスバーモジュール１４である。この場合、３個の第１のモジュール構成体Ｍ１を前後方向に並べて並べて配置すればよい。通信線（フレキシブル基板）５８及びコネクタ６０等については前記と同様に接続すればよい。
【００３６】
［変形例２］
図１７はバスバーモジュールの変形例２を示す斜視図である。図１７に示すように、本変形例は、電池集合体１２の電池セル１６が２４個の場合のバスバーモジュール１４である。この場合、３個の第２のモジュール構成体Ｍ２を前後方向に並べて並べて配置すればよい。通信線（フレキシブル基板）５８及びコネクタ６０等については、前記と同様に接続すればよい。
【００３７】
前記したバスバーモジュール１４によると、２種類のモジュール構成体Ｍ１，Ｍ２から複数のモジュール構成体を選択し、隣接するモジュール構成体の配線基板２８同士を通信線５８を介して接続する。複数のモジュール構成体には、両モジュール構成体Ｍ１，Ｍ２の組み合わせ、あるいは、第１のモジュール構成体Ｍ１同士の組み合わせ、あるいは、第２のモジュール構成体Ｍ２同士の組み合わせが相当する。これにより、電池集合体１２の電池セル１６の異なるセル数に対応するバスバーモジュール１４を構成することができる。したがって、バスバーモジュール１４のバリエーションを増加することができるため、電池集合体１２の電池セル１６のセル数の異なる毎にそのセル数に対応した専用のバスバーモジュール１４を用意する必要がなくなる。よって、コストを低減しながらも、電池集合体１２の電池セル１６の異なるセル数に対応するバスバーモジュール１４を提供することができる。
【００３８】
また、配線基板２８は、モジュール構成体Ｍ１，Ｍ２の保持部材３０に対して電池セル１６の並び方向の一方側に片寄せた状態で配置されている。したがって、２種類のモジュール構成体Ｍ１，Ｍ２における配線基板２８の周辺部の構成を共通化することができる。
【００３９】
また、通信線５８は、モジュール構成体Ｍ１，Ｍ２の幅方向の中央部の相互間に配置されている。したがって、通信線５８の接続にかかる配線基板２８側の配線を容易化することができる。例えば、通信線５８がモジュール構成体Ｍ１，Ｍ２の幅方向の一方端側の相互間に片寄せて配置すると、通信線５８の接続にかかる配線基板２８側の配線を、バスバー２６と配線基板２８とを接続する配線に対して立体交差させなければならない場合がある。しかし、モジュール構成体Ｍ１，Ｍ２の幅方向の中央部の相互間に通信線５８を配置することにより、通信線５８の接続にかかる配線基板２８側の配線を容易化することができる。
【００４０】
また、第１のモジュール構成体Ｍ１の対応する電池セル１６のセル数は６個である。このため、第２のモジュール構成体Ｍ２の対応する電池セル１６のセル数は８個となる。したがって、２種類のモジュール構成体Ｍ１，Ｍ２から複数のモジュール構成体を選択することにより、電池セル１６の異なるセル数のほとんどの電池集合体１２に対応するバスバーモジュール１４を提供することができる。ここで、電池集合体１２の電池セル１６のセル数に対応するモジュール構成体Ｍ１，Ｍ２の組み合わせ例を表１に示す。
【００４１】
【表１】
2015185226.tif 000003
【００４２】
また、変形例１（図１７参照）に記載されたバスバーモジュール１４によると、第１のモジュール構成体Ｍ１のみを複数用いて構成されている。したがって、第１のモジュール構成体Ｍ１の対応する電池セル１６のセル数（６個）の倍数のセル数の電池セル１６を備える電池集合体１２に対応するバスバーモジュール１４を提供することができる。
【００４３】
また、変形例２（図１８参照）に記載されたバスバーモジュール１４によると、第２のモジュール構成体Ｍ２のみを複数用いて構成されている。したがって、第２のモジュール構成体Ｍ２の対応する電池セル１６のセル数（８個）の倍数のセル数の電池セル１６を備える電池集合体１２に対応するバスバーモジュール１４を提供することができる。
【００４４】
また、通信線５８はフレキシブル基板からなる。したがって、フレキシブル基板（通信線５８）の撓み変形によって、隣接する保持部材３０の相互間の変位（電池集合体１２の電池セル１６の並び方向の変位）を吸収することができる。
【００４５】
また、配線基板２８は、その配線基板２８の上面側が保持部材３０の保持板部４４により覆われるようにして保持部材３０の保持板部４４の下側に配置されている。これにより、保持部材３０の保持板部４４が配線基板２８の上側を覆う上カバーを兼ねるため、上カバーを設けることなく、配線基板２８への上方からの異物（水、塵埃等）の付着を防止することができる。したがって、上カバーに係る部品点数及び組付工数の増加を招くことなく、配線基板２８の金属部材の腐食、配線基板２８への塵埃の固着等の発生を防止することができる。
【００４６】
また、ガス排出ダクト６２は、配線基板２８の下面側を覆うようにして保持部材３０に設けられている。これにより、ガス排出ダクト６２が配線基板２８の下側を覆う下カバーを兼ねるため、下カバーを設けることなく、配線基板２８への下方からの異物の付着を防止することができる。したがって、下カバーに係る部品点数及び組付工数の増加を招くことなく、配線基板２８の金属部材の腐食、配線基板２８への塵埃の固着等の発生を防止することができる。
【００４７】
また、ガス排出ダクト６２には、ガス排出通路６３の上側でガス排出通路６３に沿って延在する空間部６５が形成されている。したがって、空間部６５の空気層が断熱層として機能することにより、ガス排出通路６３を流れるガスによる配線基板２８への熱影響を低減することができる。また、ガス排出ダクト６２に空間部６５を形成することにより、ガス排出ダクト６２の剛性を向上することができる。
【００４８】
また、保持部材３０とガス排出ダクト６２とは、電池セル１６の並び方向にスライド可能に嵌合されている。したがって、保持部材３０とガス排出ダクト６２との組付性を向上することができる。また、保持部材３０とガス排出ダクト６２との間のスライド方向の熱膨張差を吸収することができる。
【００４９】
また、保持部材３０とガス排出ダクト６２との嵌合構造は、保持部材３０に設けられる一対の支持レール５２と、ガス排出ダクト６２に設けられかつ一対の支持レール５２にスライド可能に係合される懸吊レール６７とからなるレール構造である。したがって、保持部材３０とガス排出ダクト６２との嵌合構造を簡素化することができる。
【００５０】
［実施形態２］
実施形態２を説明する。本実施形態は、実施形態１に変更を加えたものであるから、その変更部分について説明し、重複する説明は省略する。図１８はバスバーモジュールを示す平面図である。
図１８に示すように、本実施形態は、変形例１（図１７参照）のバスバーモジュール１４の１個（例えば最後部）の第１のモジュール構成体Ｍ１の前端側において、２個分の電池セル１６の前後方向の長さに相当する長さ分を切除することにより、その第１のモジュール構成体Ｍ１を４個の電池セル１６に対応させたものである。また、ガス排出ダクト６２（図１８では不図示）についても、４個分の電池セル１６の前後方向の長さに対応する長さとなるように、２個分の電池セル１６の前後方向の長さに相当する長さ分を切除する。これにより、１６個の電池セル１６を備える電池集合体１２に対応するバスバーモジュール１４を提供することができる。
【００５１】
［他の技術的事項］
本発明は上記した実施形態に限定されるものではなく、本発明の要旨を逸脱しない範囲における変更が可能である。例えば、本発明は、ハイブリッド車に限らず、電気自動車等の車両、車両以外の用途に用いられる電池集合体１２に適用してもよい。また、本発明は、リチウムイオン電池に限らず、ニッケル水素電池、ニッケルカドミウム電池等に適用してもよい。また、１スタックの電池集合体１２の電池セル１６の数は適宜増減してもよい。また、１個の配線基板２８が対象とする電池セル１６の数は適宜増減してもよい。また、モジュール構成体は、２種類に限らず、３種類以上用意してもよい。また、１スタックの電池集合体１２に対して２種類以上のモジュール構成体Ｍ１，Ｍ２を用いる場合の並び順は適宜変更することができる。また、配線基板２８は、保持部材３０の保持板部４４の収容凹部５０内に回路素子の実装面を上向きにして収容してもよい。また、回路部品としては、配線基板２８の他、ハイブリッド集積回路を用いてもよい。
【符号の説明】
【００５２】
１２…電池集合体
１４…バスバーモジュール
１６…電池セル
２６…バスバー
２８…配線基板（回路部品）
３０…保持部材
５８…通信線（フレキシブル基板）
Ｍ１…第１のモジュール構成体
Ｍ２…第２のモジュール構成体
【図１】
2015185226.tif 000004
【図２】
2015185226.tif 000005
【図３】
2015185226.tif 000006
【図４】
2015185226.tif 000007
【図５】
2015185226.tif 000008
【図６】
2015185226.tif 000009
【図７】
2015185226.tif 000010
【図８】
2015185226.tif 000011
【図９】
2015185226.tif 000012
【図１０】
2015185226.tif 000013
【図１１】
2015185226.tif 000014
【図１２】
2015185226.tif 000015
【図１３】
2015185226.tif 000016
【図１４】
2015185226.tif 000017
【図１５】
2015185226.tif 000018
【図１６】
2015185226.tif 000019
【図１７】
2015185226.tif 000020
【図１８】
2015185226.tif 000021